【手続補正書】
【提出日】平成17年2月17日(2005.2.17)
【手続補正１】
【補正対象書類名】明細書
【補正対象項目名】特許請求の範囲
【補正方法】変更
【補正の内容】
【特許請求の範囲】
【請求項１】
交通渋滞の原因として予め設定される突発的事象を収集し、該突発的事象に対応する渋滞データに基づき該突発的事象の発生による交通渋滞を予測することを特徴とする交通渋滞予測方法。
【請求項２】
交通渋滞予測として、渋滞の解消状況を予測することを特徴とする請求項１記載の交通渋滞予測方法。
【請求項３】
交通渋滞の原因として予め設定される突発的事象の発生位置および発生規模に関する情報を収集し、
該発生位置に対応する道路の車線数を、予め記憶されている道路情報から読出し、
該道路についての現在の交通状況および将来予測される交通状況と、該発生規模とに基づいて、該突発的事象の発生による交通渋滞を予測することを特徴とする交通渋滞予測方法。
【請求項４】
情報通信によって、交通渋滞の原因として予め設定される突発的事象の発生位置および発生規模に関する情報を収集する収集手段と、
道路区分毎に道路の位置情報、車線数および交通状況が記憶される道路データベース手段と、
収集手段によって突発的事象の発生に関する情報が収集されるとき、道路データベータ手段を参照して、該突発的事象の発生による交通渋滞状況を予測する予測手段とを含むことを特徴とする交通渋滞予測装置。
【請求項５】
前記予測手段によって予測される前記突発的事象の発生による交通渋滞状況を、外部に伝達する送信手段を有することを特徴とする請求項４記載の交通渋滞予測装置。
【請求項６】
前記収集手段は、前記突発的事象の発生位置に関する情報として、緯度および経度、ならびに上下車線情報を収集することを特徴とする請求項４または５記載の交通渋滞予測装置。
【請求項７】
前記収集手段は、前記突発的事象の発生位置に関する情報として、該発生位置の画像情報を収集し、
前記予測手段は、収集手段によって収集される画像情報に基づいて、該発生位置を特定することを特徴とする請求項４または５記載の交通渋滞予測装置。
【請求項８】
前記道路データベース手段に記憶される交通状況は、前記道路区分別で時間帯毎の平均速度であることを特徴とする請求項４記載の交通渋滞予測装置。
【請求項９】
前記道路データベース手段に記憶されている前記道路区分別で時間帯毎の平均速度をリスト化し、交通渋滞を表す画像情報として外部に伝達する送信手段を有することを特徴とする請求項８記載の交通渋滞予測装置。
【請求項１０】
前記予測手段は、前記道路データベース手段を参照して、所定の時間帯に、前記平均速度が制限速度よりも所定速度下回る連続した道路区分を抽出し、抽出した道路区分の始点から終点までの距離を求める予測を行うことを特徴とする請求項８記載の交通渋滞予測装置。
【請求項１１】
前記予測手段によって、前記所定の時間帯について抽出される道路区分について、道路の名称および走行車線方向と、前記連続した道路区分の距離とを組合わせた交通渋滞情報を、画像情報または音声情報として外部に伝達する送信手段を有することを特徴とする請求項１０記載の交通渋滞予測装置。
【請求項１２】
前記予測手段は、前記収集手段によって所定時間内に複数の突発的事象の発生位置および発生規模に関する情報が収集されるとき、発生位置が所定範囲内の突発的事象を同一と判定し、発生規模を平均値または多数決によって決定することを特徴とする請求項４〜１１のいずれかに記載の交通渋滞予測装置。
【請求項１３】
前記予測手段は、前記突発的事象の発生による交通渋滞を予測した後に、前記収集手段を介して所定の外部機関から該突発的事象に関する情報を入手し、かつ発生規模に所定以上の違いがあるときに、該外部機関からの発生規模に関する情報に基づいて、該交通渋滞の予測を修正することを特徴とする請求項４記載の交通渋滞予測装置。
【請求項１４】
交通渋滞状況を伝達する対象者を特定する情報が記憶される加入者記憶手段と、
前記予測手段によって、前記予測が修正される際に、加入者記憶手段に記憶される情報で特定される対象者に対し、交通渋滞状況を伝達する送信手段とを備えることを特徴とする請求項１３記載の交通渋滞予測装置。
【請求項１５】
交通渋滞状況を伝達する対象者がデータベースとして記憶される加入者記憶手段と、
該加入者記憶手段のデータベースに基づいて該対象者の位置情報を収集し、収集した位置情報を記憶する加入者位置記憶手段とを備え、
前記送信手段は、前記予測手段によって予測される交通渋滞状況を、加入者記憶手段に記憶されている位置情報が該交通渋滞の規模に応じた所定範囲内の対象者に対して、伝達することを特徴とする請求項５記載の交通渋滞予測装置。
【請求項１６】
交通渋滞状況を伝達する対象者がデータベースとして記憶される加入者記憶手段と、
該加入者記憶手段のデータベースに基づいて該対象者の位置情報を収集する加入者位置情報収集手段とを備え、
前記送信手段は、前記予測手段によって交通渋滞状況が予測される際に、加入者位置情報収集手段によって該対象者の位置情報を収集し、収集された位置情報が該交通渋滞の規模に応じた所定範囲内の対象者に対して、伝達することを特徴とする請求項５記載の交通渋滞予測装置。
【請求項１７】
交通渋滞状況を伝達する対象者がデータベースとして記憶される加入者記憶手段と、
該加入者記憶手段のデータベースに基づいて、該対象者から前記予測手段による交通渋滞状況の提供を希望する道路に関する情報を入手して記憶する希望道路記憶手段とを備え、
前記送信手段は、前記予測手段によって交通渋滞状況が予測される際に、希望道路記憶手段の記憶内容に基づいて、交通渋滞の発生が予測される道路について交通渋滞状況の提供を希望する対象者に対して、該交通渋滞状況を伝達することを特徴とする請求項４記載の交通渋滞予測装置。
【請求項１８】
交通状況収集の対象となる位置を検出する位置検出手段と、
少なくとも交通渋滞の原因となり得るとして予め定める突発的事象が発生するとき、発生した道路の車線方向および規模に関する情報を入力する情報入力手段と、
情報入力手段に対して入力が行われるときに、入力された情報および位置検出手段によって検出される位置を情報通信として送信する送信手段とを含むことを特徴とする交通状況提供装置。
【請求項１９】
車両に搭載され、
ハザード点灯および走行速度の一定値以下への低下から停車を検出する停車検出手段と、
停車検出手段によって停車が検出されるとき、車両の乗員に対して渋滞による停車か否かの確認を要求する確認要求手段とを備え、
前記送信手段は、確認要求手段による要求に対して車両の乗員から確認の応答が行われるとき、交通渋滞発生の情報を送信することを特徴とする請求項１８記載の交通状況提供装置。
【手続補正２】
【補正対象書類名】明細書
【補正対象項目名】０００７
【補正方法】変更
【補正の内容】
【０００７】
【課題を解決するための手段】
本発明は、交通渋滞の原因として予め設定される突発的事象を収集し、該突発的事象に対応する渋滞データに基づき該突発的事象の発生による交通渋滞を予測することを特徴とする交通渋滞予測方法である。
本発明に従えば、交通渋滞の原因として予め設定される突発的事象を収集する。該当する突発的事象が発生していれば、それに対応する渋滞データに基づき交通渋滞を予測するので、交通渋滞の発生をその原因に応じて予測することができる。
また本発明は、交通渋滞予測として、渋滞の解消状況を予測することを特徴とする。
本発明に従えば、交通渋滞が発生していても、その原因に応じて解消状況を予測することができる。
本発明は、交通渋滞の原因として予め設定される突発的事象の発生位置および発生規模に関する情報を収集し、
該発生位置に対応する道路の車線数を、予め記憶されている道路情報から読出し、
該道路についての現在の交通状況および将来予測される交通状況と、該発生規模とに基づいて、該突発的事象の発生による交通渋滞を予測することを特徴とする交通渋滞予測方法である。
【手続補正３】
【補正対象書類名】明細書
【補正対象項目名】００６５
【補正方法】変更
【補正の内容】
【００６５】
【発明の効果】
以上のように本発明によれば、交通渋滞の原因として予め設定される突発的事象を収集し、交通渋滞の発生をその原因に応じて予測することができる。
また本発明によれば、交通渋滞の解消状況を、その原因に応じて予測することができる。
また本発明によれば、突発的な事象の発生に伴う交通渋滞を有効に予測して、車両の走行経路の設定などの際に渋滞を避けるように利用することができる。